(57)【要約】【課題】受信が途切れたとき等に利用者の嗜好と受信態様に合った番組から自動的に受信することができるオートプリセット機能を備えたデジタル放送受信器を得る。【解決手段】  デジタル放送受信部１１では映像及び／又は音声のほか放送番組のジャンルも受信する。嗜好ジャンルリスト作成記憶部２０では受信した放送の番組のジャンルを車両の走行・停止状態、モニター画面の分割表示状態別に受信時間を積算して利用者の嗜好ジャンルデータを得る。オートプリセット処理時には、現在位置に対応して受信可能チャンネルの選択を行って、受信可能局をサーチして実際の受信可能チャンネルを検出し、更に各チャンネルにおいて現在放送しているジャンルを検出する。オートプリセット処理手段２７では、嗜好ジャンルデータにより受信可能チャンネルで現在放送している番組のジャンルの嗜好の程度の順に、プリセットキーに前記受信可能チャンネルを割り付ける。【選択図】図２
2006157836.tif 000002
【特許請求の範囲】
【請求項１】
映像又は音声のほか少なくとも放送番組のジャンルを受信するデジタル放送受信手段と、
受信した放送の番組におけるジャンルを各種態様別に受信時間を積算して、利用者の嗜好ジャンルデータを得る嗜好ジャンルリスト作成手段と、
受信選択キーに対して受信可能チャンネルを割り付けるオートプリセット処理手段と、
前記オートプリセット処理に際して受信可能チャンネルを検出する受信可能チャンネル検出手段と、
前記受信可能チャンネルで現在放送している番組のジャンルを検出する放送ジャンル検出手段とを備え、
前記オートプリセット処理手段では、前記嗜好ジャンルデータにより前記受信可能チャンネルで現在放送している番組のジャンルの嗜好の程度の順に、プリセットキーに前記受信可能チャンネルを割り付けることを特徴とするデジタル放送受信器。
【請求項２】
デジタル放送受信器で受信した映像を表示するモニター画面が分割画面表示か１画面表示かの表示状態を検出するモニター画面分割状態検出手段を備え、
前記嗜好ジャンルリスト作成手段は前記表示状態によって異なる嗜好ジャンルデータを作成し、
前記オートプリセット処理手段では、オートプリセット時の前記表示状態によって対応する嗜好ジャンルデータを用いることを特徴とする請求項１記載のデジタル放送受信器。
【請求項３】
デジタル放送受信器を搭載する車両が走行状態か停止状態かの車両状態を検出する車両走行・停止検出手段を備え、
前記嗜好ジャンルリスト作成手段は前記車両状態によって異なる嗜好ジャンルデータを作成し、
前記オートプリセット処理手段では、オートプリセット時の前記車両状態によって対応する嗜好ジャンルデータを用いることを特徴とする請求項１記載のデジタル放送受信器。
【請求項４】
前記オートプリセット処理手段は、受信中の放送が切断した放送受信切断時、又は受信番組の変更時、又は利用者のオートプリセット処理の指示入力時、又は定期的に処理を行うことを特徴とする請求項１記載のデジタル放送受信器。
【請求項５】
前記受信可能チャンネル検出手段は、受信可能チャンネル選択手段において、現在位置検出手段で検出した現在位置に対応して受信可能チャンネルを選択し、選択した受信可能チャンネルの実際の受信可能状態を検出することを特徴とする請求項１記載のデジタル放送受信器。
【請求項６】
前記オートプリセット処理手段でオートプリセットが終了したとき、最も嗜好の程度の高いジャンルの番組を放送しているチャンネルを自動的に受信することを特徴とする請求項１記載のデジタル放送受信器。
【発明の詳細な説明】
【技術分野】
【０００１】
本発明は、デジタルラジオやデジタルテレビ放送を受信するデジタル放送受信器に関し、特に車両に搭載した受信器において、受信が中断したときにその後適切な放送を受信するオートプリセット機能を備えたデジタル放送受信器に関する。
【背景技術】
【０００２】
近年の放送においてはラジオ及びテレビにおいてデジタル放送が普及し、テレビ放送においては特に地上波放送においてもデジタル放送が行われるようになっている。特に車両搭載のテレビ受信器においては、車両の移動に伴って画面が乱れることが多いのに対して、デジタルテレビ放送受信器は画面の乱れが少なく、更に将来予定されている移動体専用放送においては、より乱れが少なくなることが期待されており、今後車両搭載のテレビ受信器はデジタルテレビ受信器が急速に普及することが予想されている。
【０００３】
一方、従来より放送受信器においては、受信器で受信可能な放送局の放送周波数を各チャンネルに予め割り当てるため、プリセットを行う必要がある。プリセットに際しては手動で行う方法のほか、予め登録されている放送局とその受信範囲の各種データを用い、例えば電話番号を入力することにより受信可能放送局を検索し、周波数の低い順にプリセットを行う、等の方法も用いられている。
【０００４】
上記のような従来の車両搭載の受信器においては、特に車両の移動に伴って受信可能放送局が変わることもあり、受信が途切れるときには受信可能地域の変更を考慮して再度プリセットを自動的に行うオートプリセット機能を備えたものもある。このようなオートプリセット機能を備えた受信器においては、車両の走行に伴って周囲の自然条件等が変わり、電波の受信状況が変化して、受信が途切れるときにもこのオートプリセット機能を働かせ、所定の放送局をスキャンして受信可能の放送局を検出し、新たに周波数の低い順に所定のキーに対してチャンネルを割り振ることも行われる。その際の受信放送局は、多くの受信器において、原則として前回受信していた周波数の放送を受信するようにし、その放送が受信できないときには最も周波数の低い局の放送が選択されて受信するようにしている。
【０００５】
デジタル放送においては音声や映像のほかに各種データを多重化して放送しており、例えばデジタルテレビ放送においては、テレビ映像及び音声のデータのほか、ＥＰＧ（Electric Program Guide：電子番組表）等の各種データも付加して多重送信され、その中に現在放送している番組のジャンルを示すデータも存在する。テレビ放送の番組のジャンルについては、大分類としてニュース、スポーツ、情報、ドラマ、音楽、バライティー、映画、アニメなどが分類され、更にその下に小分類が存在して、例えば大分類がスポーツの時サブジャンルとして、野球、サッカー、ゴルフ、バスケットボール、バレーボール、テニス、アメフト、ラグビー、アイスホッケー、ウィンター、モーター、マリンスポーツ、水泳、相撲、格闘技、プロレス、ボクシング、陸上競技、オリンピック、ワールドカップ、国際大会、競馬、競輪、競艇等の小分類が存在することにより、合計２５０程度の分類情報が付与されている。デジタルラジオ放送においても、ニュース、時事、スポーツ、教育、軽音楽、クラシック等々のジャンル分けが行われている。
【０００６】
デジタル放送における上記のようなデータを受信することにより、利用者にとって好みのジャンルの放送を受信することが可能となるものであるが、このように各利用者にとって好みのジャンルの放送を受信するに際して、例えば下記特許文献１に示されるように、デジタルラジオ受信器に関して、ラジオの受信時に受信している番組のジャンルを各種の重み付けを付して利用者の好みを示すデータとして蓄積し、新たなラジオ受信時にそのデータを利用して好みのジャンルを放送している放送局を受信することができるようにすることも提案されている。また、下記特許文献２に示されるように、デジタルラジオ受信器において、受信選択キーに予め利用者の好みの順に番組のジャンルを割り振っておき、新たなラジオ受信時に受信できる放送局をスキャンしてプリセットキーに対応するジャンルを放送している局を割り付け、順に受信することができるようにすることも提案されている。
【特許文献１】特開平８−３３０９１１号公報
【特許文献２】特開平１−１２１６８８号公報
【発明の開示】
【発明が解決しようとする課題】
【０００７】
上記のように、車両に搭載する放送受信器においてはその利用形態の特殊性からオートプリセットは重要な機能であり、特にデジタル放送受信器においてはデータ放送を含んだ多重放送の受信により、上記特許文献１に示されるように好みのジャンルの放送を選択して受信することができる。しかしながらこの技術においては、単に現在受信できる放送の中で、できるだけ利用者の好みに合った番組を受信するだけであり、受信が途切れたときに現在受信できる放送局をプリセットキーに対して自動的に割り振るオートプリセットについては考慮されていない。
【０００８】
また、上記特許文献２に示されるように、デジタル放送受信器において受信選択キーに予め利用者の好みの順に番組のジャンルを割り振っておき、新たなラジオ受信時に受信できる放送局をスキャンして、受信選択キーに対応するジャンルを放送している局を割り付け、好みの順に受信することができるようにするものにおいては、現在放送している番組の中に予め割り振っているジャンルの番組が存在しないとき、例えば１０個ある受信選択キーに対して割り振られる放送局が存在しないこともあり得るため、利用しにくいオートプリセットが行われることとなる。このことは受信する放送がデジタルラジオ放送に限らずデジタルテレビ放送であっても同様である。
【０００９】
したがって本発明は、利用者の日常の放送受信嗜好をデジタル放送に含まれる番組のジャンルデータを利用して積算しデータ化することにより、オートプリセットに際して利用者の受信嗜好を考慮して現在放送されている各種の番組の中から嗜好に合った番組の順にオートプリセットを行い、その順に受信を行うことができるようにすることにより、受信が途切れたとき等に利用者の好みに合った番組を確実に受信することができるオートプリセット機能を備えたデジタル放送受信器を提供することを主たる目的とする。
【課題を解決するための手段】
【００１０】
本発明によるデジタル放送受信器は上記課題を解決するため、映像又は音声のほか少なくとも放送番組のジャンルを受信するデジタル放送受信手段と、受信した放送の番組におけるジャンルを各種態様別に受信時間を積算して、利用者の嗜好ジャンルデータを得る嗜好ジャンルリスト作成手段と、受信選択キーに対して受信可能チャンネルを割り付けるオートプリセット処理手段と、前記オートプリセット処理に際して受信可能チャンネルを検出する受信可能チャンネル検出手段と、前記受信可能チャンネルで現在放送している番組のジャンルを検出する放送ジャンル検出手段とを備え、前記オートプリセット処理手段では、前記嗜好ジャンルデータにより前記受信可能チャンネルで現在放送している番組のジャンルの嗜好の程度の順に、プリセットキーに前記受信可能チャンネルを割り付けることを特徴とする。
【００１１】
また、本発明による他のデジタル放送受信器は、前記デジタル放送受信器において、デジタル放送受信器で受信した映像を表示するモニター画面が分割画面表示か１画面表示かの表示状態を検出するモニター画面分割状態検出手段を備え、前記嗜好ジャンルリスト作成手段は前記表示状態によって異なる嗜好ジャンルデータを作成し、前記オートプリセット処理手段では、オートプリセット時の前記表示状態によって対応する嗜好ジャンルデータを用いることを特徴とする。
【００１２】
また、本発明による他のデジタル放送受信器は、前記デジタル放送受信器において、デジタル放送受信器を搭載する車両が走行状態か停止状態かの車両状態を検出する車両走行・停止検出手段を備え、前記嗜好ジャンルリスト作成手段は前記車両状態によって異なる嗜好ジャンルデータを作成し、前記オートプリセット処理手段では、オートプリセット時の前記車両状態によって対応する嗜好ジャンルデータを用いることを特徴とする。
【００１３】
また、本発明による他のデジタル放送受信器は、前記デジタル放送受信器において、前記オートプリセット処理手段は、受信中の放送が切断した放送受信切断時、又は受信番組の変更時、又は利用者のオートプリセット処理の指示入力時、又は定期的に処理を行うことを特徴とする。
【００１４】
また、本発明による他のデジタル放送受信器は、前記デジタル放送受信器において、前記受信可能チャンネル検出手段は、受信可能チャンネル選択手段において、現在位置検出手段で検出した現在位置に対応して受信可能チャンネルを選択し、選択した受信可能チャンネルの実際の受信可能状態を検出することを特徴とする。
【００１５】
また、本発明による他のデジタル放送受信器は、前記デジタル放送受信器において、前記オートプリセット処理手段でオートプリセットが終了したとき、最も嗜好の程度の高いジャンルの番組を放送しているチャンネルを自動的に受信することを特徴とする。
【発明の効果】
【００１６】
本発明は上記のように構成したので、利用者の日常の放送受信ジャンルの嗜好を、デジタル放送に含まれる番組のジャンルデータを利用して、各種態様別に積算データ化することにより、オートプリセットに際して利用者の受信嗜好と各種態様を考慮して、現在受信可能なチャンネルで放送されている各種の番組の中から、嗜好に合った番組の順にオートプリセットを行い、その順に受信を行うことができるようにすることができる。それにより、受信が途切れたとき等に利用者の好みに合った番組から順に、確実に受信することができるようになる。
【発明を実施するための最良の形態】
【００１７】
本発明は、受信が途切れたとき等に利用者の好みに合った番組から確実に受信することができるオートプリセット機能を備えたデジタル放送受信器を得るという目的を、映像又は音声のほか少なくとも放送番組のジャンルを受信するデジタル放送受信手段と、受信した放送の番組におけるジャンルを各種態様別に受信時間を積算して、利用者の嗜好ジャンルデータを得る嗜好ジャンルリスト作成手段と、受信選択キーに対して受信可能チャンネルを割り付けるオートプリセット処理手段と、前記オートプリセット処理に際して受信可能チャンネルを検出する受信可能チャンネル検出手段と、前記受信可能チャンネルで現在放送している番組のジャンルを検出する放送ジャンル検出手段とを備え、前記オートプリセット処理手段では、前記嗜好ジャンルデータにより前記受信可能チャンネルで現在放送している番組のジャンルの嗜好の程度の順に、プリセットキーに前記受信可能チャンネルを割り付けることによって実現した。
【実施例１】
【００１８】
本発明の実施例を図面に沿って説明する。図１は本発明によるデジタル放送受信器を車両に搭載のデジタルテレビ放送受信機に適用した例における、テレビ受信器の主要機能を示した図である。図１の例においては、デジタルテレビ放送を受信するテレビ受信器１にモニター９が接続し、モニター９にテレビ受信画像を表示すると共に、テレビ視聴中の信号として、モニターに１画面表示しているか、或いは例えばナビゲーションの地図画面と共に表示する等のように２画面表示を行っているか、更には受信放送が音楽が主のために或いはニュースの音声を主に視聴しているために画像を小さく表示している状態か等の、１画面／２画面信号をテレビ受信器１が入力している。
【００１９】
また、このテレビ受信器１を搭載している車両７からは、その車両が走行中であるか停車中であるかを判別した信号である、走行中／停車中判別信号をテレビ受信器１に入力している。更に、この車両に搭載したナビゲーション装置８からは、そのナビゲーション装置の１機能として備えている例えばＧＰＳ信号を受信して得られる自車位置検出信号を、テレビ受信器１の受信部２に入力し、受信部２はその位置の存在する地域において本来視聴可能なテレビ放送局を選別して順にサーチできるようにしている。
【００２０】
受信部２においては、通常時はリモコン１０で利用者が指示した例えばプリセット番号２の信号をテレビ受信器１に送信することにより、テレビ受信器１のプリセット６にリモコン１０の各プリセット番号に対応して記憶している現在受信可能なチャンネルの中から、前記プリセット番号２に対応する４３チャンネルを選択し、これを受信部２に対して選局信号として出力し、受信部２はその４３チャンネルの受信を行う。
【００２１】
一方受信部２はその地域で受信可能なテレビ放送局を前記のようにサーチし、実際に受信できるチャンネルをサーチチャンネル４のデータとする。このサーチチャンネル４のデータは、図１においては従来のテレビ放送受信器におけるプリセット時のサーチ機能と同様に、周波数の低い順にＮｏ．１から順に受信可能なチャンネルを列挙しており、図中ではＮｏ．１に１チャンネル、Ｎｏ．２に２チャンネル、Ｎｏ．３に５チャンネルが順に配列されている。なお、受信部２には多重デジタル放送における例えばＥＰＧの機能等によって、各チャンネルにおいて現在放送している番組のジャンルもそのデータとして有しているものを示している。
【００２２】
また、受信部２で実際に受信中のチャンネルについてはそのジャンルのデータを嗜好ジャンルリスト３に出力し、嗜好ジャンルリスト３においては前記のようにモニター９からの１画面／２画面信号及び車両７からの走行中／停車中判別信号を入力し、受信中のチャンネルのジャンルを停車中であるか走行中であるか、またその各々について１画面で表示中か２画面で表示中かの別に、図中例示のように所定時間以上受信した各ジャンルについて積算時間順のリストを作成する。
【００２３】
それにより、例えば現在放送中の受信が途切れてオートプリセットを行う際には、前記のようにサーチチャンネル４において得られている現在受信可能なチャンネルと各チャンネルにおいて現在放送中の番組のジャンルの情報と、受信ジャンルリスト３で作成されている各態様別の利用者の好みのジャンルデータと、現在のモニターが１画面表示か２画面表示かの信号と、車両が走行中であるか停車中であるかの信号に基づいて、選別部５がプリセットのための選別を行う。
【００２４】
この選別によりプリセット６には、例えば車両が現在停車中でモニターがテレビ表示のみの１画面表示であるとき、嗜好ジャンルリスト３におけるこれに対応するリストを選択し、そのＮｏ．１のジャンルである「ニュース」について現在放送しているチャンネルをサーチチャンネル４から検索し、５チャンネルが現在ニュースを放送していることを検出することによって、プリセット６のＮ０．１にこの５チャンネルを割り付ける。
【００２５】
同様に、次の好みである「情報」のジャンルを放送しているチャンネルをサーチチャンネル４の中から検索し、４３チャンネルで放送していることが検出されると、プリセットのＮｏ．２にその４３チャンネルを割り付ける。更に次の好みである音楽のジャンルを放送しているチャンネルをサーチし、２チャンネルで音楽を放送していることを検出することによってプリセット６のＮｏ．３に２チャンネルを割り付ける。このとき、もしも８チャンネルにおいても音楽番組を放送しているときには、プリセット６のＮｏ．４に８チャンネルを割り付けるようにしても良い。
【００２６】
上記のようなプリセット６のデータにより、例えば現在受信中の放送が受信状態の変化等により途切れたときには、利用者はリモコンのＮｏ．１から順にテレビ受信器１に対して受信指示を行うことにより、現在の態様に適した、利用者の好みの順のジャンルの放送を受信することができるようになる。
【００２７】
上記のようなシステムの機能をより詳細に示したものが図２の機能ブロック図である。なお、図２の各種機能を行う機能部は、各々、各機能を行う手段ということができる。図２に示す例においては、デジタルテレビ及びデジタルラジオのいずれにも適用可能な例を示しているが、説明の便宜のため前記図１と同様に主としてデジタルテレビ放送受信器の例について説明する。
【００２８】
デジタル放送受信部１１においては、利用者指示入力部２６からのリモコン等による受信チャンネルの指示、或いは後述するようなオートプリセット処理部２７からの受信チャンネル指示によって指示されたチャンネルを、受信チャンネル指示部１２により受信するほか、オートプリセットのための受信可能チャンネル選択部１４で選択されたチャンネルを、順にスキャンする方式での受信も行う。
【００２９】
受信チャンネル記憶部１３においては、受信チャンネル指示部１２で上記のように選択したチャンネルを更新しながら記憶している。それにより、後述するように放送受信切断検出部２５で現在受信している放送が途切れたことを検出したとき、オートプリセット処理部２７でオートプリセットを行う前に、受信チャンネル指示部１２が受信チャンネル記憶部１３に記憶している先に受信していたチャンネルを読み込み、そのチャンネルの受信を試みることができる。
【００３０】
受信可能チャンネル選択部１４では、例えばナビゲーション装置による自車位置情報を取り込む現在位置検出部１５の検出信号によって、予め記憶されている地図上の位置と受信可能チャンネルのデータに基づいて、現在位置で受信可能なチャンネルを選択し、デジタル放送受信部１１にそれらのチャンネルのスキャンを指令する。それにより、オートプリセット処理部２７から指示があったときには、この受信可能チャンネル選択部１４で、選択したチャンネルのスキャン方式の受信が行われ、実際に受信できたチャンネルを受信可能チャンネル検出部１６が検出する。  
【００３１】
放送ジャンル検出部１７では、受信チャンネル指示部１２で選択して実際にデジタル放送受信部１１で受信している番組の放送ジャンルを検出する。これはデジタル放送受信部１１で受信した前記ＥＰＧ等の番組情報によって検出することができる。また、放送ジャンル検出部１７では受信可能チャンネル選択部１４によって選択されたチャンネルをスキャン方式で受信するとき、受信可能チャンネル検出部１６で検出した実際に受信可能なチャンネルについて、現在放送している番組のジャンルも検出する。その検出結果は後述するオートプリセット処理部２５における受信可能チャンネル・現在放送ジャンル入力部に対して出力する。
【００３２】
同一ジャンル受信継続時間計測部１８においては、通常の放送受信時に前記放送ジャンル検出部１７が現在放送している番組のジャンル検出を最初に行ったときからその番組の受信が終了したとき迄、或いは例えば音楽番組が連続した後に終了したときのように同一ジャンルの番組が終了したとき迄の、同一ジャンルの番組受信継続時間を計測し、その計測結果を嗜好ジャンルリスト作成記憶部２０における積算部２１に出力する。
【００３３】
嗜好ジャンルリスト作成記憶部２０においては、その積算部２１において、前記同一ジャンル受信時間計測部１８での計測データを入力し、以前からのデータにこれを積算し、その結果を記憶部２２に記憶する。その際には、前記図１と同様に、車両走行・停止検出部２３でその番組視聴時に車両が走行していたか停止していたかを検出し、またモニター画面分割状態検出部２４においてその番組視聴時にモニターは分割画面表示であったか１画面表示であったかを検出して、これを嗜好ジャンルリスト作成記憶部２０に出力する。それにより嗜好ジャンルリスト作成記憶部２０においては、積算部２１で嗜好ジャンルリストを作成するに際して、同一ジャンル受信時間計測部１８による計測データの積算を行うときに、車両の走行中・停車中別に、更にモニター画面の分割表示と１画面表示別に分けて、また必要に応じてそれらの重み付けを行ったデータによりリストを作成し、その状態で記憶部２２に記憶しておく。
【００３４】
放送受信切断検出部２５では、受信中の放送が電波状態の変化等により切断したことを検出し、その検出結果をオートプリセット処理部２７に出力する。利用者指示入力部２６では、利用者が受信チャンネルを直接変更しようとするとき、或いはリモコンのプリセットキーを押してチャンネルを変更しようとするとき、更には利用者の意志でオートプリセットを行わせようとしたとき等にその旨の信号を入力する。
【００３５】
オートプリセット処理部２７においては、前記放送受信切断検出部２５から受信中の放送が切断した旨の信号を入力すると、図示実施例においては最初に受信チャンネル指示部１２に対して、受信チャンネルに記憶部１３に記憶されている先に受信していたチャンネルの受信を行う旨の信号を出力し、デジタル放送受信部１１でそのチャンネルを受信できないときはその信号を入力し、受信可能チャンネル選択部１４に前記現在位置検出部１５で検出した現在地において受信可能なチャンネルを選択してスキャン方式でサーチを行わせる。実際に受信可能なチャンネルは受信可能チャンネル検出部１６で検出し、更に放送ジャンル検出部１７で現在各チャンネルで放送している番組のジャンルを検出し、それらの信号を受信可能チャンネル・現在放送ジャンル検出部３０に出力する。
【００３６】
オートプリセット処理部２７においては更に、嗜好ジャンルリスト作成記憶部２０の記憶部２２に記憶されている嗜好ジャンルリストを、現在車両が走行しているか停止しているかの状態を車両走行・停止検出部２３で検出し、またモニター画面が現在は分割状態であるか、１画面表示状態であるかをモニター画面分割状態検出部２４で検出し、それらの状態に応じて前記記憶部２２に記憶されているデータを選択して、嗜好ジャンルリスト読込部３１で読み込む。
【００３７】
受信可能チャンネルプリセットキー割付部３２では、受信可能チャンネル・現在放送ジャンル検出部３０で検出したデータと、嗜好ジャンルリスト読込部３１で読み込んだデータとにより、現在受信可能なチャンネルを嗜好の度合いの高いジャンル順にプリセットキーにそれらのチャンネルを割り付ける。このような状態で利用者指示入力部２６からリモコン等で１番から順に受信指示があると、受信チャンネル設定部３３がそのプリセットキーに対応するチャンネルの受信を行うことを設定し、受信チャンネル指示部１２が実際にそのチャンネルの受信を行うようにデジタル放送受信部１１に指示する。利用者がその受信番組を見て他の番組の方がよい、として次のプリセットキーの番号を指示すると、同様にして指示された番号に対応するチャンネルが受信される。なお、このときはプリセットキーとして、アップダウンキーの操作によって順に指示することもできる。
【００３８】
上記のような機能ブロックからなる本発明によるデジタル放送受信器の実施例においては、例えば図３〜図５に示す作動フローにしたがって順に作動させることができる。以下これらの作動フローを前記図１及び図２の機能ブロック図を参照しつつ説明する。図３にはその全体の作動フローを示しており、図３に示すデジタル放送受信器における本発明の主要処理である嗜好ジャンル選択オートプリセット処理の例においては、最初にデジタル放送の受信が行われ（ステップＳ１）、その後の受信切断に備えて現在受信しているチャンネルの記憶がなされる（ステップＳ２）。これは図２の受信チャンネル指示部１２が利用者指示入力部２６からの受信チャンネル指示によりデジタル放送受信部１１でそのチャンネルの放送を受信すると共に、現在受信中のチャンネルを受信チャンネル記憶部１３で記憶することにより行われる。
【００３９】
次いで受信番組嗜好ジャンルリスト作成処理を行う（ステップＳ３）。この処理は図４に示しており、同図に示すように図３のステップＳ２からの処理として、現在車両が走行しているか停止しているかを検出する（ステップＳ１１）。同時にモニター画面表示状態は分割表示であるか１画面表示であるかを検出する（ステップＳ１２）。これらの処理は図１においては車両７からの走行中／停車中判別信号と、モニター９のテレビ視聴中信号における１画面／２画面信号の入力により行われ、図２においては車両走行・停止検出部２３と、モニター画面分割状態検出部２４の検出作動によって行われる。
【００４０】
その後、現在の受信番組は変更したか否かの判別を行い（ステップＳ１３）、変更しないときは図３のステップＳ１に戻ってデジタル放送の受信と前記作動を繰り返す。ステップＳ１３において現在の受信番組が変更したと判別したときには、先の受信番組の受信時間は所定以上であるか否かを判別する（ステップＳ１４）。この判別において例えば３分等の所定時間以内に他の番組に変更したときには、前記図３のステップＳ１に戻って上記作動を繰り返す。これらの作動は、図２の同一ジャンル受信時間計測部１８の計測によって行われる。
【００４１】
ステップＳ１４で先の受信番組の受信時間は所定以上であると判別したときには、嗜好ジャンルリストを更新して作成する（ステップＳ１５）。これは図１の機能ブロック図では、テレビ受信器１における嗜好ジャンルリスト３部分において、車両の走行中か停車中かの別に、またモニター画面が分割表示中か１画面表示中かの別にリストを作成することにより行われ、図２の機能ブロック図では、嗜好ジャンルリスト作成記憶部２０において、車両走行・停止検出部２３の信号、及びモニター画面分割状態検出部２４の信号を入力して、それらの態様別に積算部２１が積算を行い、これを記憶部２２に記憶することにより行う。その後図３のステップＳ４に進む（ステップＳ１６）。
【００４２】
図３の実施例においてはステップＳ４においては、上記のようにして受信していた放送が切断したか否かを判別する。この作動は図２の放送受信切断検出部２５において行う。その結果切断していないと判別したときには、再びステップＳ１に戻ってデジタル放送の受信を継続し、上記作動を繰り返す。その過程で視聴番組嗜好ジャンルリストのデータはより正確なデータに更新されていく。ステップＳ４において受信が切断したと判別したときには、先の受信チャンネルの再受信を行い（ステップＳ５）、先の受信チャンネルは再受信できたか否かを判別する（ステップＳ６）。ここで再受信できたと判別したときには、このたびの受信切断は一時的なものであり、したがってステップＳ１に戻って上記受信作動を繰り返す。
【００４３】
ステップＳ６において先の受信チャンネルは再受信できなかったと判別したときには、図５に示すようなオートプリセット処理を行う。図５に示すオートプリセット処理の例においては、図３のステップＳ６からの処理として現在位置の検出を行い（ステップＳ２１）、その現在位置に基づいて受信可能チャンネルの選択とサーチの指示を行う（ステップＳ２２）。これは図１の機能ブロック図においては、ナビゲーション装置８の自車位置情報をテレビ受信器１が入力し、受信部２がその位置で本来受信可能なチャンネルをサーチすることにより行い、図２の機能ブロック図においては、現在位置検出部１５ががナビゲーション装置等から現在位置を入力し、受信可能チャンネル選択部１４でその現在位置において本来受信可能なチャンネルをサーチすることにより行う。
【００４４】
次いで、前記受信可能チャンネルのサーチによって、実際にその位置で受信できるチャンネルの検出を行い（ステップＳ２３）、次いで実際に受信可能なチャンネルで現在放送している番組のジャンルをＥＰＧ等によって検出し（ステップＳ２４）、それにより実際に受信可能なチャンネルと、そのチャンネルで現在放送している番組のジャンルの対応データを得ることができる。この作動は図１の機能ブロック図においては、受信部２の作動によってサーチチャンネル４としてデータが得られ、図２の機能ブロック図においては、受信可能チャンネル検出部１６での上記のような実際に受信が検出されたチャンネルについて、放送ジャンル検出部１７がそれらのチャンネルにおいて現在放送している番組のジャンルを検出し、オートプリセット処理部２７の受信可能チャンネル・現在放送ジャンル検出部３０に出力することによって行われる。
【００４５】
これらの作動に引き続き、或いは同時に車両が走行しているか停止しているかを検出し（ステップＳ２６）、更にモニター画面の分割状態を検出する（ステップＳ２６）。これらの作動は、図２において、オートプリセット処理部２７が車両走行・停止検出部２３の信号と、モニター画面分割状態検出部２４の信号を入力することにより行われる。次いで嗜好ジャンルリストの読み込みを行う（ステップＳ２７）。これは図２のオートプリセット処理部２７において、嗜好ジャンルリスト作成記憶部２０の記憶部２２に記憶されているデータを、嗜好ジャンルリスト読込部３１で読み込むことによって行う。
【００４６】
その後、受信可能チャンネルをプリセットキーに割り付ける（ステップＳ２９）。この処理は図１の機能ブロック図においては、テレビ受信器１において、前記嗜好ジャンルリスト３のデータと、サーチチャンネル４のデータにより選別５を行い、プリセット６で各プリセットキーに現在受信できるチャンネルを利用者の嗜好順に割り付けることによって行い、図２の機能ブロック図においては、オートプリセット処理部２７の受信可能チャンネルプリセットキー割付部３２が、受信可能チャンネル・現在放送ジャンル検出３０で入力したデータと、嗜好ジャンルリスト読込部３１で入力したデータにより、図１と同様に各プリセットキーに現在受信できるチャンネルを利用者の嗜好順に割り付けることによって行う。オートプリセット処理はこのようにして行われ、図３のステップＳ８に進む。
【００４７】
図３のステップＳ８においては、プリセットキーの選択指示の入力を行う。これは図１において利用者がリモコン１０を操作して希望のプリセット番号をプリセット６に対して指示することにより行い、図２においては利用者指示入力部２６から、利用者がプリセット番号をオートプリセット処理部２７に出力することにより行われる。その後、選択指示チャンネルの受信が行われ（ステップＳ９）、図示の例では更に受信チャンネルはこれでよいか否かを判別し（ステップＳ１０）、本来利用者にとって最も嗜好に合致している番組を受信しているはずであるが、実際には現在放送されている番組の内容が利用者の嗜好に合わないと判断したときには、再びステップＳ８に戻って次のプリセットキーの選択入力を行い、上記作動を繰り返す。その後受信チャンネルはこれでよいと利用者が判断したときには、再びステップＳ１に戻ってそのデジタル放送の番組の視聴を行い、上記作動を繰り返す。
【００４８】
本発明は上記のような実施例のほか、例えばステップＳ７でオートプリセット処理が行われた後は、利用者のリモコン等による指示を待つことなく、自動的に利用者の最も嗜好に合っている番組を放送しているチャンネルを受信し、利用者が次を示すキーを押すだけでその次に嗜好に合っている番組を受信するように処理を行ってもよい。
【００４９】
また、プリセット処理は前記のように放送受信が切断した時に行う以外に、定期的に受信可能チャンネルと各チャンネルで現在放送している番組をサーチし、利用者の嗜好によってオートプリセットを行うようにしても良く、利用者がプリセットキーを押したときに上記のようなオートプリセットを行っても良く、更には、現在受信している番組が変更したときに行っても良い。本発明はそのほか種々の態様で実施することができる。
【産業上の利用可能性】
【００５０】
本発明によるデジタル放送受信器は、デジタルテレビ放送受信器のほか前記従来技術に示したようなデジタルラジオ放送にも用いることができ、また本発明は、一般家庭用のデジタル放送受信器に適用できるものであるが、特に放送受信位置が大きく変化する車両に搭載するデジタル放送受信器として好適に用いることができる。
【図面の簡単な説明】
【００５１】
【図１】本発明の実施例の基本的な機能構成を示す機能ブロック図である。
【図２】本発明の実施例の機能を詳細に示した機能ブロック図である。
【図３】本発明の実施例の基本作動フロー図である。
【図４】同基本作動フロー図における視聴番組嗜好ジャンルリスト作成処理の作動フロー図である。
【図５】同基本作動フロー図におけるオートプリセット処理の作動フロー図である。
【符号の説明】
【００５２】
１  テレビ受信器    
２  受信部
３  嗜好ジャンルリスト
４  サーチチャンネル
５  選別部
６  プリセット
７  車両
８  ナビゲーション装置
９  モニター
１０  リモコン
【図１】
2006157836.tif 000003
【図２】
2006157836.tif 000004
【図３】
2006157836.tif 000005
【図４】
2006157836.tif 000006
【図５】
2006157836.tif 000007